(57)【特許請求の範囲】
【請求項１】
表示部に所定の画面を表示する表示手段と、前記表示部上に配置され、前記表示部の操作位置を検出するタッチパネルと、前記表示手段に複数のソフトウェアキーからなる入力画面を表示させる表示制御手段と、前記タッチパネルにより検出される操作位置に基づいて前記ソフトウェアキーへの操作を検出する操作検出手段を備えた入力装置であって、
前記操作検出手段が、前記ソフトウェアキー以外の前記入力画面内の領域への操作をも検出するとともに、その操作位置から所定の範囲領域に表示されているソフトウェアキーを選択するソフトウェアキー選択手段を備え、
前記表示制御手段が、前記ソフトウェアキー選択手段により選択されたソフトウェアキーに基づいた入力画面または案内画面を、前記表示手段に表示させるように構成され、
前記ソフトウェアキー選択手段により選択されたソフトウェアキーに対応する機能を所定のハードウェアキーに割り付ける機能割付手段をさらに備え、
前記表示制御手段が、前記機能割付手段により前記ハードウェアキーに割り付けられた機能の情報と前記機能が割り付けられたハードウェアキーとを案内表示する割付案内画面を、前記表示手段に表示させる入力装置。
【発明の詳細な説明】
【技術分野】
【０００１】
本発明は、その表示部に所定の画面を表示する表示手段と、前記表示部上に配置され、その操作位置を検出するタッチパネルと、前記表示手段に複数のソフトウェアキーからなる入力画面を表示させる表示制御手段と、前記タッチパネルにより検出される操作位置に基づいて前記ソフトウェアキーへの操作を検出する操作検出手段を備えた入力装置に関する。
【背景技術】
【０００２】
複写機やファクシミリ等の入力装置では、ますます多くの機能が搭載され、各機能を選択するためのメニューキーが著しく増加する傾向にある。このような状況に対応すべく、その表示部に所定の画面を表示する表示手段と、前記表示部上に配置され、その操作位置を検出するタッチパネルと、前記表示手段に複数のソフトウェアキーからなる入力画面を表示させる表示制御手段と、前記タッチパネルにより検出される操作位置に基づいて前記ソフトウェアキーへの操作を検出する操作検出手段を備え、前記表示手段に表示されるソフトウェアキーを前記タッチパネルで選択することを可能とした入力装置が多用されている。
【０００３】
また、入力装置は、様々な障害を持った非健常者でも健常者と同等に、その操作入力を可能にしたいという要求に対して、例えば、特許文献１のように、表示装置と、この表示装置の前面に配置され、座標入力機能を有するタッチパネルとを有し、前記表示装置上に表示されたソフトウェアキーに対応したタッチパネル上の座標が押し下げられた時に、前記ソフトウェアキーの入力を受け付ける操作パネルにおいて、前記タッチパネルが連続押し下げされている時、押し下げ座標をリアルタイムに検出し、前記押し下げ座標があらかじめ設定した時間、略同一であったときに、その座標に対応したソフトウェアキーの機能を音声出力させる制御手段を備えることで、視覚障害のあるユーザであっても電子機器の操作が行え、かつ健常者にとっても従来と同じ操作方法で操作を行えるものが提案されていた。
【０００４】
【特許文献１】特開２００３−７６４７６号公報
【発明の開示】
【発明が解決しようとする課題】
【０００５】
しかし、上述のような、ソフトウェアキーをタッチパネルで選択する入力装置では、その操作面が平面となっているため、例えば、小刻みに振るえる指先の振るえを思い通りに抑えることができないような障害を持ったユーザにとっては、ハードウェアキーのようにガイドとなる凹凸を頼りに指先の振るえを抑えた上で目的のキーを操作するといったことができず、目的のソフトウェアキーとは異なる位置に指先が接触してしまい、操作入力に手間取ってしまうという問題があった。
【０００６】
本発明の目的は、指先での細かい操作が困難なユーザであっても操作しやすい入力装置を提供する点にある。
【課題を解決するための手段】
【０００７】
上述の目的を達成するため、本発明による入力装置の第一の特徴構成は、特許請求の範囲の欄の請求項１に記載した通り、表示部に所定の画面を表示する表示手段と、前記表示部上に配置され、前記表示部の操作位置を検出するタッチパネルと、前記表示手段に複数のソフトウェアキーからなる入力画面を表示させる表示制御手段と、前記タッチパネルにより検出される操作位置に基づいて前記ソフトウェアキーへの操作を検出する操作検出手段を備えた入力装置であって、前記操作検出手段が、前記ソフトウェアキー以外の前記入力画面内の領域への操作をも検出するとともに、その操作位置から所定の範囲領域に表示されているソフトウェアキーを選択するソフトウェアキー選択手段を備え、前記表示制御手段が、前記ソフトウェアキー選択手段により選択されたソフトウェアキーに基づいた入力画面または案内画面を、前記表示手段に表示させるように構成され、前記ソフトウェアキー選択手段により選択されたソフトウェアキーに対応する機能を所定のハードウェアキーに割り付ける機能割付手段をさらに備え、前記表示制御手段が、前記機能割付手段により前記ハードウェアキーに割り付けられた機能の情報と前記機能が割り付けられたハードウェアキーとを案内表示する割付案内画面を、前記表示手段に表示させる点にある。
【０００８】
指先での細かい操作が困難な、例えば、小刻みに振るえる指先の振るえを思い通りに抑えることができないユーザは、目的とする位置を正確には指先で指定することはできないかも知れないが、ある程度は、前記目的の位置の近くを指定することは可能である。上述の構成によれば、前記表示制御手段が、入力画面におけるソフトウェアキー以外の領域が操作されたときに、前記操作位置から所定の範囲領域に表示されているソフトウェアキー、換言すると、前記操作された位置の近くに表示されているソフトウェアキー、更に換言すると、操作の目的とした可能性の高いソフトウェアキーに基づいた入力画面または案内画面を前記表示手段に表示させるため、前記入力画面または前記案内画面を、前記操作された位置から所定の範囲領域におけるソフトウェアキーに的を絞った操作に関する情報とすれば、たとえ、最初の操作で目的のソフトウェアキーを操作することができなかったとしても、その後、前記入力画面または前記案内画面に基づいて目的のソフトウェアキーに的を絞った操作を行うことができるのである。つまり、ユーザが最初の操作と同様な失敗をすることを防止するとともに、より操作のしやすい情報を提供することができる。
【０００９】
さらに、入力画面におけるソフトウェアキー以外の領域が操作されたときに、前記機能割付手段が、前記操作位置から所定の範囲領域に表示されているソフトウェアキーに対応する機能を所定のハードウェアキーに割り付けるとともに、前記表示制御手段が、前記機能割付手段により前記ハードウェアキーに割り付けられた機能の情報と前記機能が割り付けられたハードウェアキーとを案内表示する割付案内画面を前記表示手段に表示させるため、ユーザは、たとえ、最初の操作で目的のソフトウェアキーを操作することができなかったとしても、その後、目的のキーが割り付けられたハードウェアキーの情報を得ることができるとともに、物理的に凹凸のあるハードウェアキーによって、ガイドとなる前記凹凸を頼りに指先の振るえを抑えながら目的のキーを操作することができるようになるのである。
【発明の効果】
【００１０】
以上説明した通り、本発明によれば、小刻みに振るえる指先の振るえを思い通りに抑えることができないユーザでも、操作しやすい入力装置を提供することができるようになった。
【発明を実施するための最良の形態】
【００１１】
以下、本発明による入力装置をデジタル複写機に適用した場合の実施形態について説明する。前記デジタル複写機１は、図２に示すように、各種の複写メニューを設定する本発明の入力装置としての操作パネル部２と、原稿載置部３にセットされた一連の原稿を順次読込んで電子データに変換する画像読取部４と、画像読取部４によって電子データに変換された画像データに基づいて用紙上にトナー像を形成して出力する電子写真方式の画像形成部５と、それぞれ異なるサイズまたは種類の用紙が収容された複数の給紙カセット６（６ａ〜６ｄ）及び機械左側部に設けられた手差し給紙口（図示せず）を備えて構成されている。
【００１２】
前記操作パネル部２の概観構成は、図３に示すように、複写条件を指定する複数のメニュー選択キーがソフトウェアキーの形態で表示されるタッチパネル式のカラー表示部２０と、画像形成動作を起動させるためのスタートキーや、数値入力するための数値入力キー等のハードウェアキー２４と、前記各種キーからの操作入力や、前記タッチパネル式のカラー表示部２０への前記ソフトウェアキーの表示出力等を制御する操作制御部２７を備えて構成されている。
【００１３】
前記ハードウェアキー２４は、例えば、プリント枚数などを設定する数値入力キー２１、前記プリントキーとしてのスタートキー２２、クリア／ストップキー２３、カーソルキー２９、リセットキー１９等の複写動作の基本制御キー群と、特殊モード設定キー２５等により構成されている。
【００１４】
前記タッチパネル式のカラー表示部２０は、図４に示すように、その表示部５０に所定の画面を表示する表示手段５１としてのカラー液晶表示装置５１と、前記カラー液晶表示装置５１の表示部５０上に配置され、ユーザによるその操作位置を検出するタッチパネル５２を備えて構成されている。
【００１５】
前記タッチパネル５２は、図５（ａ）、図５（ｂ）に示すように、前記カラー液晶表示装置５１側に配置される下部ガラス板２６１を基部として、当該ガラス板２６１の上面に設置される複数本の下部透明電極２６２と、下部透明電極２６２の上面に一定間隔毎に設置される絶縁体のドットスペーサ２６３と、ドットスペーサ２６３を挟んで下部透明電極２６２に対向して直交設置される複数本の上部透明電極２６４と、上部透明電極２６４の上面に設置されるＰＥＴフィルム２６５とを備え、ユーザによる押圧操作により、前記下部透明電極２６２と上部透明電極２６４が接触導通したときの電位変化が、接触導通した位置でそれぞれ異なった値となるように構成されている。
【００１６】
前記操作制御部２７における回路構成は、図６に示すように、所定の制御プログラムに基づいて当該入力装置を制御するＣＰＵ２７１と、その制御プログラムが格納されるＲＯＭ２７２と、ワーキングエリア等に使用されるＲＡＭ２７３と、前記カラー液晶表示装置５１への表示データを展開するＲＡＭ２７４と、前記ＲＡＭ２７４の表示データに基づいてカラー液晶表示装置５１を駆動する液晶ドライバ２７５と、前記タッチパネル５２を駆動するとともに前記タッチパネル５２からの操作信号を入力するタッチパネルドライバ２７６と、前記ハードウェアキー群２４からの操作信号を入力する入力バッファ回路２７７と、前記入力バッファ回路２７７等とＣＰＵ２７１との間に設けられる入出力ポート２７８等を備えて構成され、前記ＣＰＵ２７１は複写動作を制御する本体制御部１０と通信ラインを介して接続されている。
【００１７】
また、前記操作制御部２７における機能ブロック構成は、図１に示すように、前記カラー液晶表示装置５１に複数のソフトウェアキーからなる入力画面を表示させる表示制御手段３０と、前記タッチパネル５２により検出される操作位置に基づいて前記入力画面上の操作位置を検出する操作検出手段３１を備えて構成されている。
【００１８】
ここで、前記操作検出手段３１は、前記タッチパネル５２により検出される操作位置に基づいて前記ソフトウェアキーへの操作を検出するとともに、前記ソフトウェアキー以外の前記入力画面内の領域への操作をも検出するように構成されている。また、前記操作検出手段３１は、その操作位置から所定の範囲領域に表示されているソフトウェアキーを選択するソフトウェアキー選択手段５２を備えた構成となっている。
【００１９】
以下、前記操作制御部２７の動作について図７に示すフローチャートに基づいて説明する。前記デジタル複写機１が起動されることで、前記操作パネル部２が起動されると、前記表示制御手段３０は、例えば、図８（ａ）に示すように、前記カラー液晶表示装置５１に、前記画像形成部３により画像が記録される用紙の用紙サイズやその方向（印刷の向き）、その給紙方法の設定を行う基本設定キー群５５ａ、前記画像の複写倍率や画像の複写濃度、カラー複写または白黒複写を設定するイメージ設定キー群５５ｂ、前記記録紙１０が排出されるときの前記記録紙の振り分け形態を設定する排紙設定キー群５５ｃ等の機能毎にその詳細条件を設定する複数のソフトウェアキー５５からなる画像形成条件入力画面を表示する（ＳＡ１）。
【００２０】
ユーザにより前記タッチパネル５２が操作されることで前記タッチパネル５２からの出力電位が変化すると（ＳＡ２）、前記操作検出手段３１が前記出力電位の変化に基づいて前記タッチパネル５２が操作されたことを検出するとともに（ＳＡ３）、その操作位置を検出する（ＳＡ４）。
【００２１】
また、前記操作検出手段３１は、前記表示制御手段３０が表示しているソフトウェアキー５５の表示位置と、前記検出した操作位置とを比較し、前記操作位置が前記ソフトウェアキー５５の何れかの表示位置に含まれていれば（ＳＡ５）、前記操作位置が含まれているソフトウェアキー５５に応じた画面を、前記表示制御手段３０により前記カラー液晶表示装置５１へ表示させる（ＳＡ６）。
【００２２】
例えば、ユーザによる用紙サイズやその方向の設定操作において、前記操作検出手段３１により、Ｂ５サイズで縦方向を選択するためのソフトウェアキー５５ａ２の操作が検出されたときには、例えば、図８（ｂ）に示すように、前記表示制御手段３０は、それまで、Ａ４サイズで縦方向が選択されていたことを示す黒地に白文字のＡ４サイズで縦方向を選択するためのソフトウェアキー５５ａ１を、Ａ４サイズで縦方向が選択されていないことを示す白地に黒文字に変更するとともに、それまで、Ｂ５サイズで縦方向が選択されていなかったことを示す白地に黒文字のＢ５サイズで縦方向を選択するためのソフトウェアキー５５ａ２を、Ｂ５サイズで縦方向が選択されたことを示す黒地に白文字に変更した前記画像形成条件入力画面を表示する。
【００２３】
一方、前記操作位置が前記ソフトウェアキー５５の何れかの表示位置にも含まれていないときには（ＳＡ５）、前記ソフトウェアキー選択手段３２が、その操作位置から所定の範囲領域に前記表示制御手段３０により表示されているソフトウェアキーを選択する（ＳＡ７）。
【００２４】
例えば、図９（ａ）に示すように、前記操作検出手段３１により、前記ソフトウェアキー５５の何れかの表示位置にも含まれない操作位置Ｐｏが検出されたときには、前記ソフトウェアキー選択手段３２は、前記操作位置Ｐｏを中心とした半径ｒの円領域Ｒｅ内に表示されているソフトウェアキー５５ａ２、５５ａ３、５５ａ４を選択する。尚、前記ソフトウェアキー選択手段３２が選択するソフトウェアキーは、その全てが前記円領域Ｒｅ内に納まっているソフトウェアキーのみではなく、その一部が前記円領域Ｒｅ内に含まれているソフトウェアキーをも選択するように構成されている。
【００２５】
前記ソフトウェアキー選択手段３２により、前記円領域Ｒｅ内に表示されているソフトウェアキー５５ａ２、５５ａ３、５５ａ４が選択されると、前記表示制御手段３０は、例えば、図９（ｂ）に示すように、前記選択されたソフトウェアキー５５ａ２、５５ａ３、５５ａ４をそれぞれ拡大した拡大ソフトウェアキー５５ａ２Ｂ、５５ａ３Ｂ、５５ａ４Ｂからなる拡大表示入力画面を、前記カラー液晶表示装置５１に表示させ（ＳＡ８）、前記ステップＳＡ２へ戻る。
【００２６】
つまり、ユーザが、たとえ、最初の操作で目的のソフトウェアキーを操作することができなかったとしても、その後、目的のソフトウェアキーが拡大された、より操作のしやすい拡大ソフトウェアキーにより操作を行うことができるように構成されている。
【００２７】
尚、前記操作制御部２７は、前記ハードウェアキー２４の何れかの操作を検出したときには（ＳＡ９）、前記操作されたハードウェアキー２４に応じた画像形成条件入力画面を前記表示制御手段３０により前記カラー液晶表示装置５１に表示させるとともに（ＳＡ１０）、前記操作されたハードウェアキー２４が、前記スタートキー２２であったときには（ＳＡ１１）、前記画像形成条件入力画面で機能毎に設定された詳細条件を確定するとともに（ＳＡ１２）、前記確定した詳細条件を前記複写動作を制御する本体制御部１０へ通信ラインを介して送信する（ＳＡ１３）。
【００２８】
以下、別の実施形態について説明する。上述の実施形態では、画像形成条件入力画面に対する操作位置が前記ソフトウェアキー５５の何れの表示位置にも含まれていないときに、前記カラー液晶表示装置５１に前記拡大表示入力画面が表示される構成について説明したが、画像形成条件入力画面に対する操作位置が前記ソフトウェアキー５５の何れの表示位置にも含まれていないときに、前記カラー液晶表示装置５１に所定の機能が割り付けられたハードウェアキーの案内と、前記ハードウェアキーに割り付けられた機能の情報を案内する割付案内画面が表示される構成としてもよい。尚、以下、説明の便宜上、前記操作制御部２７を操作制御部７７に符号を代えて説明する。
【００２９】
前記操作制御部７７における機能ブロック構成は、図１０に示すように、前記カラー液晶表示装置５１に複数のソフトウェアキーからなる入力画面を表示させる表示制御手段８０と、前記タッチパネル５２により検出される操作位置に基づいて前記入力画面上の操作位置を検出する操作検出手段８１を備えて構成されている。
【００３０】
ここで、前記操作検出手段８１は、前記タッチパネル５２により検出される操作位置に基づいて前記ソフトウェアキーへの操作を検出するとともに、前記ソフトウェアキー以外の前記入力画面内の領域への操作をも検出するように構成されている。また、前記操作検出手段８１は、その操作位置から所定の範囲領域に表示されているソフトウェアキーを選択するソフトウェアキー選択手段８２と、前記ソフトウェアキー選択手段８２により選択されたソフトウェアキーに対応する機能を所定のハードウェアキーに割り付ける機能割付手段８３を備えた構成となっている。
【００３１】
以下、前記操作制御部７７の動作について図１１に示すフローチャートに基づいて説明する。前記デジタル複写機１が起動されることで、前記操作パネル部２が起動されると、前記表示制御手段８０は、例えば、前記図８（ａ）に示すように、前記カラー液晶表示装置５１に、前記画像形成部３により画像が記録される前記記録紙１０の用紙サイズやその方向（印刷の向き）、その給紙方法の設定を行う基本設定キー群５５ａ、前記画像の複写倍率や画像の複写濃度、カラー複写または白黒複写を設定するイメージ設定キー群５５ｂ、前記記録紙１０が排出されるときの前記記録紙の振り分け形態を設定する排紙設定キー群５５ｃ等の機能毎にその詳細条件を設定する複数のソフトウェアキー５５からなる画像形成条件入力画面を表示する（ＳＢ１）。
【００３２】
ユーザにより前記タッチパネル５２が操作されることで前記タッチパネル５２からの出力電位が変化すると（ＳＢ２）、前記操作検出手段８１が前記出力電位の変化に基づいて前記タッチパネル５２が操作されたことを検出するとともに（ＳＢ３）、その操作位置を検出する（ＳＢ４）。
【００３３】
また、前記操作検出手段８１は、前記表示制御手段８０が表示しているソフトウェアキー５５の表示位置と、前記検出した操作位置とを比較し、前記操作位置が前記ソフトウェアキー５５の何れかの表示位置に含まれていれば（ＳＢ５）、前記操作位置が含まれているソフトウェアキー５５に応じた画面を、前記表示制御手段８０により前記カラー液晶表示装置５１へ表示させる（ＳＢ６）。
【００３４】
例えば、ユーザによる用紙サイズやその方向の設定操作において、前記操作検出手段８１により、Ｂ５サイズで縦方向を選択するためのソフトウェアキー５５ａ２の操作が検出されたときには、例えば、前記図８（ｂ）に示したように、前記表示制御手段８０は、それまで、Ａ４サイズで縦方向が選択されていたことを示す黒地に白文字のＡ４サイズで縦方向を選択するためのソフトウェアキー５５ａ１を、Ａ４サイズで縦方向が選択されていないことを示す白地に黒文字に変更するとともに、それまで、Ｂ５サイズで縦方向が選択されていなかったことを示す白地に黒文字のＢ５サイズで縦方向を選択するためのソフトウェアキー５５ａ２を、Ｂ５サイズで縦方向が選択されたことを示す黒地に白文字に変更した前記画像形成条件入力画面を表示する。
【００３５】
一方、前記操作位置が前記ソフトウェアキー５５の何れかの表示位置にも含まれていないときには（ＳＢ５）、前記ソフトウェアキー選択手段８２が、その操作位置から所定の範囲領域に前記表示制御手段３０により表示されているソフトウェアキーを選択する（ＳＢ７）。
【００３６】
例えば、前記図９（ａ）に示したように、前記操作検出手段８１により、前記ソフトウェアキー５５の何れかの表示位置にも含まれない操作位置Ｐｏが検出されたときには、前記ソフトウェアキー選択手段８２は、前記操作位置Ｐｏを中心とした半径ｒの円領域Ｒｅ内に表示されているソフトウェアキー５５ａ２、５５ａ３、５５ａ４を選択する。尚、前記ソフトウェアキー選択手段８２が選択するソフトウェアキーは、その全てが前記円領域Ｒｅ内に納まっているソフトウェアキーのみではなく、その一部が前記円領域Ｒｅ内に含まれているソフトウェアキーをも選択するように構成されている。
【００３７】
前記ソフトウェアキー選択手段８２により、前記円領域Ｒｅ内に表示されているソフトウェアキー５５ａ２、５５ａ３、５５ａ４が選択されると、前記機能割付手段８３は、前記ソフトウェアキー選択手段８２により選択されたソフトウェアキー５５ａ２、５５ａ３、５５ａ４に対応する機能を所定のハードウェアキーに割り付ける（ＳＢ８）。
【００３８】
例えば、前記ソフトウェアキー５５ａ２に対応する機能が用紙サイズやその方向の設定におけるＢ５サイズで縦方向の選択機能であれば、用紙サイズやその方向の設定におけるＢ５サイズで縦方向の選択機能を、例えば、ハードウェアキーとしての前記数値入力キー２１における「１」キー２１ａに割り付ける。また、前記ソフトウェアキー５５ａ３に対応する機能が用紙サイズやその方向の設定におけるＢ５サイズで横方向の選択機能であれば、用紙サイズやその方向の設定におけるＢ５サイズで横方向の選択機能を、例えば、ハードウェアキーとしての前記数値入力キー２１における「２」キー２１ｂに割り付ける。更に、前記ソフトウェアキー５５ａ４に対応する機能が用紙サイズやその方向の設定における更なる詳細設定を行うための詳細画面への移行機能であれば、用紙サイズやその方向の設定における更なる詳細設定を行うための詳細画面への移行機能を、例えば、ハードウェアキーとしての前記数値入力キー２１における「３」キー２１ｃに割り付ける。
【００３９】
前記表示制御手段８０は、図１２に示すように、前記機能割付手段８３により、用紙サイズやその方向の設定におけるＢ５サイズで縦方向の選択機能が割り付けられた「１」キー２１ａの案内２１ａｉと、用紙サイズやその方向の設定におけるＢ５サイズで横方向の選択機能が割り付けられた「２」キー２１ｂの案内２１ｂｉと、用紙サイズやその方向の設定における更なる詳細設定を行うための詳細画面への移行機能が割り付けられた「３」キー２１ｃの案内２１ｃｉと、それぞれに割り付けられた機能の情報Ｊａ、Ｊｂ、Ｊｃを案内する割付案内画面を、前記カラー液晶表示装置５１に表示させ（ＳＢ９）、前記ステップＳＢ２へ戻る。尚、前記機能が割り付けられたハードウェアキーの案内２１ａｉ、２１ｂｉ、２１ｃｉまたは前記割り付けられた機能の情報Ｊａ、Ｊｂ、Ｊｃは、それぞれが、対応する機能に対するソフトウェアキーとして構成されていてもよい。
【００４０】
つまり、ユーザは、たとえ、最初の操作で目的のソフトウェアキーを操作することができなかったとしても、その後、目的のキーが割り付けられたハードウェアキー２１の情報を得ることができるとともに、物理的に凹凸のある前記ハードウェアキー２１によって、ガイドとなる前記凹凸を頼りに指先の振るえを抑えながら目的のキーを操作することができるように構成されている。
【００４１】
尚、前記操作制御部７７は、前記ハードウェアキー２４の何れかの操作を検出したときには（ＳＢ１０）、前記操作されたハードウェアキー２４に応じた画像形成条件入力画面を前記表示制御手段８０により前記カラー液晶表示装置５１に表示させるとともに（ＳＢ１１）、前記操作されたハードウェアキー２４が、前記スタートキー２２であったときには（ＳＢ１２）、前記画像形成条件入力画面で機能毎に設定された詳細条件を確定するとともに（ＳＢ１３）、前記確定した詳細条件を前記複写動作を制御する本体制御部１０へ通信ラインを介して送信する（ＳＢ１４）。
【００４２】
上述した実施形態は、本発明の一例に過ぎず、各機能ブロックの具体的な構成は本発明の作用効果を奏する範囲において適宜変更設計できることはいうまでもない。
【図面の簡単な説明】
【００４３】
【図１】操作制御部の機能ブロック構成の説明図
【図２】デジタル複写機の説明図
【図３】操作パネル部の概観構成の説明図
【図４】タッチパネル式のカラー表示部の説明図
【図５】タッチパネルの説明図であり、（ａ）は操作されていない状態、（ｂ）は操作されている状態
【図６】操作制御部における回路構成の説明図
【図７】操作制御部の動作を説明するためのフローチャート
【図８】画像形成条件入力画面の説明図であり、（ａ）は記録紙の用紙サイズ及びその方向に対してＡ４サイズの縦方向が選択されている状態、（ｂ）は記録紙の用紙サイズ及びその方向に対してＡ５サイズの縦方向が選択されている状態
【図９】（ａ）ソフトウェアキー選択手段がソフトウェアキーを選択する範囲の説明図、（ｂ）拡大表示入力画面の説明図
【図１０】別実施形態における操作制御部の機能ブロック構成の説明図
【図１１】別実施形態における操作制御部の動作を説明するためのフローチャート
【図１２】割付案内画面の説明図
【符号の説明】
【００４４】
１：デジタル複写機
２：操作パネル部
２０：タッチパネル式のカラー表示部
２４：ハードウェアキー
２７、７７：操作制御部
３０、８０：表示制御手段
３１、８１：操作検出手段
３２、８２：ソフトウェアキー選択手段
５０：表示部
５１：カラー液晶表示装置
５２：タッチパネル
【図１】
0004810195.tif 000002
【図２】
0004810195.tif 000003
【図３】
0004810195.tif 000004
【図５】
0004810195.tif 000005
【図６】
0004810195.tif 000006
【図７】
0004810195.tif 000007
【図１０】
0004810195.tif 000008
【図１１】
0004810195.tif 000009
【図４】
0004810195.tif 000010
【図８】
0004810195.tif 000011
【図９】
0004810195.tif 000012
【図１２】
0004810195.tif 000013